(57)【要約】【課題】容器の口頸部（２）から離脱された容器蓋（１０）が傾動せしめられても、ライナー（１４）の下面に付着した液体が容器蓋から流出することが充分に防止乃至抑制される、金属薄板製シェル（１２）と合成樹脂製ライナー（１４）とから構成された容器蓋を提供する。【解決手段】合成樹脂製ライナーの薄肉円形中央部（３８）の下面周縁部と厚肉周縁部（４０）の内周面上端部との間に周方向に間隔をおいて半径方向に延びる複数個のリブ（５０）を配設する。リブ（５０）の各々の周方向両側に位置する両側面は鉛直に延在せしめる。【選択図】図２
2010159091.tif 000002
【特許請求の範囲】
【請求項１】
天面壁と該天面壁の周縁から垂下するスカート壁とを有する金属薄板製シェルと、該シェルの該天面壁の内面に配設された合成樹脂製ライナーとから構成され、該ライナーは薄肉円形中央部と該中央部を囲繞する厚肉環状部とを有し、該厚肉環状部は鉛直に延びる円筒状内周面を有する容器蓋において、
該中央部の下面周縁部と該厚肉環状部の内周面上端部との間には、周方向に間隔をおいて半径方向に延びる複数個のリブが配設されており、
該リブの各々は、該厚肉環状部の該内周面上端部に接続された外縁と該中央部の該下面周縁部に接続された上縁と半径方向外方に向かって下方に傾斜して延びる傾斜自由縁を有する略直角三角形状であり、周方向両側に位置する両側面は鉛直に延在する、ことを特徴とする容器蓋。
【請求項２】
該リブは周方向に等角度間隔をおいて６個以上配設されている、請求項１記載の容器蓋。
【発明の詳細な説明】
【技術分野】
【０００１】
本発明は、天面壁とこの天面壁の周縁から垂下するスカート壁とを有する金属薄板製シェルと天面壁の内面に配設されている合成樹脂製ライナーとから構成された容器蓋に関する。
【背景技術】
【０００２】
周知の如く、近時においては、コーヒ等の飲料のための容器として、上端にはカールが形成され外周面には雄螺条が形成されている金属薄板製容器が広く実用に供されている。そして、特にかような金属薄板製容器に適した容器蓋として、下記特許文献１及び２に開示されている如く、金属薄板製シェルと合成樹脂製ライナーとから構成された容器蓋が提案されている。金属薄板製シェルは天面壁とこの天面壁の周縁から垂下するスカート壁とを有する。合成樹脂製ライナーは天面壁の内面に配設されており、薄肉円形中央部とこの中央部を囲繞する厚肉環状部とを有する。
【先行技術文献】
【特許文献】
【０００３】
【特許文献１】特開２００１−１３９０５３号公報
【特許文献２】特開２００３−１７５９６２号公報
【発明の概要】
【発明が解決しようとする課題】
【０００４】
而して、上述した形態の従来の容器蓋には次のとおりの解決すべき問題が存在する。例えば容器の口頸部を開封する前に容器に振動が加えられると、容器蓋におけるライナーの下面、特に薄肉円形中央部の下面周縁部に容器内の液体が付着し、そこに保持される傾向がある。ライナーの下面に付着した液体が容器内に落下することなくそこに保持される理由は必ずしも明確ではないが、ライナーの下面には微視的には相当な凹凸が存在し、かかる凹凸と液体の表面張力との協働による保持力等に起因するものと推定される。ライナーの薄肉円形中央部の下面周縁部に液体が保持された状態で容器の口頸部から容器蓋を離脱し、容器蓋を水平状態から傾動せしめると、ライナーの薄肉円形中央部の下面周縁部に付着している液体がライナーの下面に沿って周方向に流動して薄肉円形中央部の下面周縁部の特定角度部位、即ち最下部位に集中する。そして、液体が特定部位に集中して比較的大きな嵩になると、ライナーの下面に保持され得なくなって容器蓋から流出し、消費者の衣服に付着する等の問題を発生せしめる虞がある。
【０００５】
本発明は上記事実に鑑みてなされたものであり、その主たる技術的課題は、上述した形態の容器蓋に改良を加えて、容器の口頸部から離脱された容器蓋が傾動せしめられても、ライナーの下面に付着した液体が容器蓋から流出することが充分に防止乃至抑制されるようになすことである。
【課題を解決するための手段】
【０００６】
本発明によれば、合成樹脂製ライナーの薄肉円形中央部の下面周縁部と厚肉周縁部の内周面上端部との間に周方向に間隔をおいて独特な形態の複数個のリブを配設することによって、上記主たる技術的課題が達成される。
【０００７】
即ち、本発明によれば、上記主たる技術的課題を達成する容器蓋として、  天面壁と該天面壁の周縁から垂下するスカート壁とを有する金属薄板製シェルと、該シェルの該天面壁の内面に配設された合成樹脂製ライナーとから構成され、該ライナーは薄肉円形中央部と該中央部を囲繞する厚肉環状部とを有し、該厚肉環状部は鉛直に延びる円筒状内周面を有する容器蓋において、
該中央部の下面周縁部と該厚肉環状部の内周面上端部との間には、周方向に間隔をおいて半径方向に延びる複数個のリブが配設されており、
該リブの各々は、該厚肉環状部の該内周面上端部に接続された外縁と該中央部の該下面周縁部に接続された上縁と半径方向外方に向かって下方に傾斜して延びる傾斜自由縁を有する略直角三角形状であり、周方向両側に位置する両側面は鉛直に延在する、ことを特徴とする容器蓋が提供される。
【０００８】
該リブは周方向に等角度間隔をおいて６個以上配設されているのが好適である。
【発明の効果】
【０００９】
本発明の容器蓋においては、容器蓋が傾斜せしめられても、ライナーの薄肉円形中央部の下面周縁部に付着している液体が周方向に流動することが複数個のリブの存在によって阻止され、かくして  液体がライナーの薄肉円形中央部の下面周縁部の特定角度部位に液体が集中して容器蓋から流出することが充分に防止乃至抑制される。
【図面の簡単な説明】
【００１０】
【図１】本発明に従って構成された容器蓋の好適実施形態を、これが適用される容器の口頸部と共に、一部を断面で示す正面図。
【図２】図１の一部を拡大して示す拡大断面図。
【図３】図１に示す容器蓋の底面図。
【図４】図１の容器蓋を図１の容器の口頸部に装着した状態を、一部を断面で示す正面図。
【図５】図４の一部を拡大して示す拡大断面図。
【発明を実施するための形態】
【００１１】
以下、添付図面を参照して、本発明に従って構成された容器蓋の好適実施形態について更に詳細に説明する。
【００１２】
図１には、本発明に従って構成された容器蓋の好適実施形態と共に、かかる容器蓋が適用される容器の口頸部の典型例が図示されている。クロム酸処理鋼薄板、アルムニウム基合金薄板或いはブリキ薄板の如き適宜の金属薄板から形成することができる容器の口頸部２は、全体として略円筒形状であり、その軸線方向中央部には雄螺条４が形成され、かかる雄螺条４の下方には環状膨出形状である係止あご部６が形成されている。口頸部２の上部は上方に向かって直径が漸次減少する円錐台形状にせしめられており、口頸部２の上端には外巻カール８が形成されている。カール８は、断面図において、上方に延び、上方及び半径方向外方に向かって円弧状に延び、下方及び半径方向外方に向かって円弧状に延び、下方に延び、下方及び半径方向内方に向かって円弧状に延び、そして更に上方及び半径方向内方に向かって円弧状に延びている。かような口頸部２を備えた金属製容器自体は周知であるので、金属製容器自体についての詳細な説明は本明細書においては省略する。
【００１３】
図１を参照して説明を続けると、全体を番号１０で示す容器蓋は、金属薄板製シェル１２と合成樹脂製ライナー１４とから構成されている。金属薄板製シェル１２は適宜の金属薄板、好ましくは厚さが０．１５乃至０．３０ｍｍ程度であるアルミニウム基合金薄板、から形成されており、円形天面壁１６とこの天面壁１６の周縁から垂下する略円筒形状のスカート壁１８とを有する。
【００１４】
図示の実施形態においては、シェル１２の天面壁１６はその全体が実質上水平に延在せしめられている。シェル１２のスカート壁１８の下部には周方向弱化ライン２０が形成されており、スカート壁１８は周方向弱化ライン２０よりも上方の主部２２と周方向弱化ライン２０よりも下方のタンパーエビデント裾部２４とに区画されている。図示の実施形態においては、スカート壁１８の下部には環状膨出部２６が形成されており、上記周方向弱化ライン２０は環状膨出部２６に配設されており、周方向に間隔をおいて周方向に延びる複数個のスリット２８とこれらのスリット２８間に存在する橋絡部３０とから構成されている。スカート壁１８の上部には環状溝部３２が形成されている。スカート壁１８の、上記環状溝部３２よりも上方の領域には、周方向に凹凸が交互に存在する所謂ナール３４が形成されている。ナール３４における凹部の上端縁は切断されて半径方向内側に変位せしめられており、これによってスカート壁１８の上端部には周方向に間隔をおいて複数個の比較的小さい開口３６が形成されている。
【００１５】
図１と共に図２を参照して説明を続けると、合成樹脂製ライナー１４は全体として円板形状であり、シェル１２の天面壁１６の内面に配設されている。かかるライナー１４は、適宜の合成樹脂、例えばＳＥＢＳ（スチレン−エチレン−ブタジエン−スチレン）ブロック共重合体を含有するスチレン系エラストマを、軟化乃至溶融状態でシェル１２の天面壁１６の内面に供給し、かかる合成樹脂に成形型を押圧せしめて所謂型押成形することによって好都合に形成することができる。
【００１６】
ライナー１４は薄肉円形中央部３８とかかる中央部３８を囲繞する厚肉環状部４０とを有する。中央部３８の厚さは全体に渡って実質上同一でよく、中央部３８の下面は実質上水平に延在せしめられている。一方、厚肉周縁部４０は、下方に突出する外側環状突条４４、同様に下方に突出する内側環状突条４６、及び外側環状突条４４と内側環状突条４６との間に位置する介在部４８を有する。図示の実施形態における外側環状突条４４は、実施上鉛直に延びる円筒状外周面４４ａ、実質上水平に延びる下面４４ｂ及び半径方向内側に向かって上方に傾斜する円錐台形状の内周面４４ｃを有する。内側環状突条４６は、半径方向内方に向かって下方に傾斜する円錐台形状上部、実質上鉛直に延びる円筒形状中間部及び断面形状が円弧状である下部から構成された外周面４６ａ、実質上水平に延びる下面４６ｂ及び実質上鉛直に延びる円筒状内周面４６ｃを有する。介在部４８の下面は実質上水平に延在する。内側環状突条４６の円筒状内周面４６ｃの上端と薄肉円形中央部３８の下面周縁とは、断面において曲率半径が小さい弧状をなす接続部によって接続されている。
【００１７】
図２及び図３を参照することによって明確に理解されるとおり、
本発明に従って構成された容器蓋１０においては、ライナー１４における薄肉円形中央部３８の下面周縁部と厚肉周縁部４０の内側環状突条４６の内周面４６ｃの上端部との間には、周方向に間隔をおいて半径方向に延びる複数個、好ましくは等角度間隔をおいて６個以上、のリブ５０が配設されていることが重要である。図示の実施形態においては、等角度間隔をおいて１２個のリブ５０が形成されている。リブ５０の各々は、内側環状突条４６の内周面４６ｃに接続された外縁５０ａと中央部３８の下面に接続された上縁５０ｂと半径方向外方に向かって下方に傾斜して延びる傾斜縁５０ｃとを有する略直角三角形状であり、その周方向両側に位置する両側面は鉛直に延在する。
【００１８】
容器内に液体飲料を充填した後に口頸部２に容器蓋１０を装着して口頸部２を密封する際には、図１及び図２に図示する如く、口頸部２に容器蓋１０を被嵌する。かくすると、ライナー１４における外側環状突条４４の内周面４４ｃの上部乃至介在部４８の下面が口頸部２のカール８の外周面上端乃至上面に接触せしめられる。ライナー１４の内側環状突条４６の外周面４６ａはカール８の内周面に近接して位置する。次いで、図４及び図５に明確に図示する如く、平坦な下面を有する押圧工具５２を天面壁１６に押圧せしめると共に、下方を向いた肩部５６を有する押圧工具５４を天面壁１６とスカート壁１８との境界領域に作用せしめて、かかる境界領域を下方及び半径方向内方に没入せしめる。かくすると、図１及び図２と図４及び図５とを比較参照することによって明確に理解される如く、ライナー１４の厚肉周縁部４０における介在部４８が下降せしめられてカール８の上面乃至内周面上部に密接されると共に、外側環状突条４４の内周面４４ｃがカール８の外周面上半部に押圧せしめられ、かくして口頸部２が密封される。更に、スカート壁１８に螺条形成工具５８を作用せしめてスカート壁１８に形成されている環状溝部３２から下方に向けて口頸部２の雄螺条４に沿ってスカート壁１８に雌螺条６０を形成し、そしてまたスカート壁１８のタンパーエビデント裾部２４に係止工具６２を作用せしめてタンパーエビデント裾部２４を半径方向内側に強制して口頸部２の係止あご部６に係止せしめる。押圧工具５２及び５４、螺条形成工具５８並びに係止工具６２の構成並びにこれらによる蓋締加工は当業者には周知の形態でよく、従ってこれらについての詳細な説明は本明細書においては省略する。
【００１９】
図４及び図５に図示する如く、口頸部２に容器蓋１０を所要とおりに装着した状態においても、ライナー１４の内側環状突条４６の外周面４６ａはカール８の内周面に密接せしめられることなく若干の間隔をおいて近接せしめられているのが好適である。内側環状突条４６の外周面４６ａがカール８の内周面に密接せしめられると、後述するとおりにして口頸部２を開封する際に必要なトルクが過大になる傾向がある。他方、内側環状突条４６の外周面４６ａがカール８の外周面から比較的大きく離隔せしめられると、例えば容器に振動が加えられた時に内側環状突条４６の外周面４６ａとカール８の内周面との間に液体が捕捉される傾向が発生する。そして、口頸部２を開封する際に容器内が加圧状態である場合、口頸部２から容器蓋１０を離脱する際に容器内の圧力が、内側環状突条４６の外周面４６ａとカール８の内周面との間に捕捉された液体に作用し、かかる液体を容器蓋１０のシェル１２に形成されている開口３６を通して外部に飛散せしめてしまう或いはシェル１２のスカート壁１８の内周面乃至容器の口頸部２の外周面に付着せしめてしまう等の虞がある。
【００２０】
容器の口頸部２を開封して内容物を消費する際には、容器蓋１０を開方向即ち図４において上方から見て反時計方向に回転せしめる。かくすると、口頸部２の雄螺条４と容器蓋１０の雌螺条６０との協働によって容器蓋１０は回転と共に上昇せしめられる。しかしながら、容器蓋１０のシェル１２におけるタンパーエビデント裾部２４は口頸部２の係止あご部６に係止されている故に上昇が阻止され、これによってシェル１４の周方向弱化ライン２０の橋絡部３０に相当な応力が生成され、周方向破断ライン２０が破断されてタンパーエビデント裾部２４がスカート壁１８の主部２２から分離される。周方向破断ライン２０が破断されてタンパーエビデント裾部２４がスカート壁１８の主部２２から分離された後においては、タンパーエビデント裾部２４を口頸部２に残留せしめて容器蓋１０が口頸部２から離脱され、口頸部２が開封される。口頸部２の開封操作段階において、シェル１２に形成されている開口３６が所謂通気孔として機能する。
【００２１】
例えば容器の口頸部２を開封する前に容器に振動が加えられると、容器蓋１０におけるライナー１４の下面、特に薄肉円形中央部３８の下面周縁部に、容器の内容物である液体が付着し、そこに保持される傾向がある。かかる状態において、口頸部２から容器蓋１０を離脱せしめ、次いで容器蓋１０を実質上水平な状態から傾動せしめると、薄肉円形中央部３８の下面に保持されている液体が最下部位に向かって周方向に流動せしめられる傾向がある。しかしながら、本発明に従って構成された容器蓋１０においては、ライナー１４における薄肉円形中央部３８の下面周縁部と厚肉周縁部４０の内側環状突条４６の内周面４６ｃの上端部との間に、周方向に間隔をおいて複数個のリブ５０が配設されている故に、液体の周方向流動が効果的に阻止される。従って、ライナー１４の薄肉円形中央部３８の周縁部の特定角度部位、即ち最下部位に液体が集中せしめられてしまって容器蓋１０から流出してしまうことが充分効果的に防止乃至抑制される。
【００２２】
容器内の内容物の一部のみを消費した場合には、口頸部２から離脱せしめた容器蓋１０を再び口頸部２に被嵌して閉方向即ち図４において上方から見て時計方向に回転せしめて口頸部２の雄螺条４に容器蓋１０の雌螺条６０を再び螺合せしめ、かくして口頸部２に再び容器蓋１０を装着して口頸部２を一時的に密封することができる。図示の実施形態においては、口頸部２から容器蓋１０を離脱せしめて口頸部２を開封する際には周方向破断ライン２０が周方向全体に渡って破断されタンパーエビデント裾部２４がスカート壁１８の主部２２から完全に分離されるが、所望ならばタンパーエビデント裾部２４に１個乃至複数個の軸線方向破断ラインを配設し、口頸部２から容器蓋１０を離脱して口頸部２を開封する際には、周方向破断ライン２０は完全に破断されることなく一部が残留せしめられ、軸線方向破断ラインが破断されることによってタンパーエビデント裾部２４が無端環状から有端帯状に展開され、タンパーエビデント裾部２４を含む容器蓋１０の全体が口頸部２から離脱されるようになすこともできる。
【符号の説明】
【００２３】
２：容器の口頸部
１０：容器蓋
１２：シェル
１４：ライナー
１６：シェルの天面壁
１８：シェルのスカート壁
３８：ライナーの薄肉円形中央部
４０：ライナーの厚肉周縁部
４４：外側環状突条
４６：内側環状突条
４８：介在部
５０：リブ
【図１】
2010159091.tif 000003
【図２】
2010159091.tif 000004
【図３】
2010159091.tif 000005
【図４】
2010159091.tif 000006
【図５】
2010159091.tif 000007